(57)【要約】本発明は、視覚的な面白さを実感することができ、しかも装飾効果を得ることができる遊戯装置に関する。この遊戯装置１は、枠体１０と、枠体１０に取り付けられ遊戯空間Ｙを形成する仕切部材１４と、遊戯空間Ｙ内の底部に配設され、その内部に空気が充填される透明な管状部材２０と、管状部材２０によって囲まれるように配設され、その内部に空気が充填されるエアマット２５と、管状部材２０及びエアマット２５内に空気を充填して内圧高める加圧装置と、管状部材２０内の空気を一方向に流動させる気流生成装置と、管状部材２０内に収容され、気流生成装置によって生成された気流によって管状部材２０内を流動，循環する気球体３０とを備える。遊戯者は、管状部材２０やエアマット２５上に乗ってその弾力感を味わうことができるとともに、管状部材２０内を流動，循環する気球体３０を見ることで、視覚的な面白さを実感することができる。
2003070345.tif 000002
【特許請求の範囲】
【請求項１】
外部空間から仕切られた遊戯空間を形成する仕切部材を備え、該遊戯空間内で遊戯者を遊ばせるように構成された遊戯装置において、
可撓性を有する透明なシート部材によって管状、且つ環状に形成されるとともに、気密状に形成され、その内部に気体が充填される管状部材と、
前記管状部材内に気体を充填して、その内圧を上昇せしめる加圧手段と、
前記管状部材内の気体を一方向に流動させる気流生成手段と、
前記管状部材内に収容され、前記気流生成手段により生成された気流によって前記管状部材内を流動する複数の流動部材とを設けて構成したことを特徴とする遊戯装置。
【請求項２】
前記流動部材の収容された管状部材を、前記遊戯空間内の底部、遊戯空間内の上部、前記仕切部材の上方、又は前記仕切部材の外周部の内の１箇所以上に設けたことを特徴とする請求の範囲第１項記載の遊戯装置。
【請求項３】
前記管状部材が前記遊戯空間内の底部に配設されるとともに、
同じく可撓性を有するシート部材によって気密状に形成された袋状部材を前記管状部材の環内に配設し、且つ袋状部材の内部空間を前記管状部材の内部空間に連通せしめて、前記加圧手段によって前記管状部材及び前記袋状部材内に気体が充填され、その内圧が上昇せしめられるように構成したことを特徴とする請求の範囲第１項記載の遊戯装置。
【請求項４】
前記気流生成手段が前記管状部材内に配設されてなる請求の範囲第１項乃至第３項記載のいずれかの遊戯装置。
【請求項５】
前記気流生成手段は、気体を吸い込む吸込口と、吸い込んだ気体を加圧して吐出する吐出口とを備えて構成され、該気流生成手段が前記管状部材の外部且つその近傍に配設されるとともに、
前記管状部材は、気体流出口及び気体流入口を備え、該気体流出口に前記気流生成手段の吸込口が接続され、気体流入口に前記気流生成手段の吐出口が接続されて、
前記管状部材内の気体が前記気体流出口から前記気流生成手段に流入して加圧され、加圧された気体が前記気体流入口から前記管状部材内に流入して、前記管状部材内の気体が前記一方向に流動せしめられるように構成されてなる請求の範囲第１項乃至第３項のいずれかの遊戯装置。
【請求項６】
前記気体流出口及び気体流入口が相互に近傍に配設され、且つ気体流出口が前記管状部材内の気流上手側に、気体流入口が下手側に配設されてなる請求の範囲第５項記載の遊戯装置。
【請求項７】
前記気体流出口及び気体流入口が上下に並設され、且つ気体流出口が上側に、気体流入口が下側に配設されてなる請求の範囲第５項記載の遊戯装置。
【請求項８】
前記気体流出口に、多数の貫通孔を備えた部材であって、該気体流出口から前記管状部材の内部空間側に膨出する形状を備えた吸着防止部材を設けたことを特徴とする請求の範囲第５項乃至第７項記載のいずれかの遊戯装置。
【請求項９】
前記管状部材内を加湿する加湿手段を設けたことを特徴とする請求の範囲第１項乃至第８項記載のいずれかの遊戯装置。
【請求項１０】
前記加湿手段を、前記管状部材内に設けられた保水手段と、
該保水手段に水を供給する給水手段とから構成したことを特徴とする請求の範囲第９項記載の遊戯装置。
【発明の詳細な説明】
技術分野
この発明は、遊園地，デパート及びスーパーマーケットなどに設置し得る、主として幼児向けの遊戯装置に関する。
背景技術
従来、上記遊戯装置として、仕切部材により仕切られた所定の遊戯空間内で、遊戯者である幼児などを遊ばせる各種遊戯装置が知られており、例えば、４ヶ所に立設された支柱と、この支柱に張り渡された網状の仕切部材と、この仕切部材により囲まれた遊戯空間内の底部に設けられるエアマットなどから構成された遊戯装置が知られている。
この遊戯装置では、幼児などがエアマット上に乗り、その上を動き回ったり、飛び跳ねたりすることで、その弾力感を体感し、当該遊戯を楽しむことができる。また、仕切部材により仕切られているので、マット上で遊んでいる幼児が、誤って外に飛び出すといったことが防止される。
ところが、上述した遊戯装置では、遊戯者は、マット上を動き回ったり、飛び跳ねたりすることで、その弾力感を楽しむことができるものの、視覚的な面白さは得られないものとなっている。また、遊戯者の気を引くための装飾手段が、例えば、前記仕切部材に設けられた絵や写真といった静的なものにほぼ限られており、これを見る者に強い印象を与えたり、その気を強く引くといったことはできなかった。
本発明は、以上の実情に鑑みなされたものであって、遊戯者に視覚的な面白さを実感させることができるとともに、装飾的な効果を得ることができる遊戯装置の提供をその目的とする。
発明の開示
上記目的を達成するための本発明は、外部空間から仕切られた遊戯空間を形成する仕切部材を備え、該遊戯空間内で遊戯者を遊ばせるように構成された遊戯装置において、
可撓性を有する透明なシート部材によって管状、且つ環状に形成されるとともに、気密状に形成され、その内部に気体が充填される管状部材と、
前記管状部材内に気体を充填して、その内圧を上昇せしめる加圧手段と、
前記管状部材内の気体を一方向に流動させる気流生成手段と、
前記管状部材内に収容され、前記気流生成手段により生成された気流によって前記管状部材内を流動する複数の流動部材とを設けて構成したことを特徴とする遊戯装置に係る。
この発明によれば、まず、前記加圧手段によって前記管状部材内に気体が充填され、その内圧が上昇せしめられ、当該管状部材が膨張して弾力を帯びた状態となる。これにより、遊戯者たる幼児などが、前記管状部材上に乗って飛び跳ねたり、或いは管状部材にもたれかかったりして、その弾力感を体感することができる。
管状部材内に気体が充填されると、次に、気流生成手段によって、前記管状部材内の気体が一方向に流動せしめられ、管状部材内に収容された複数の流動部材が、この気流によって当該管状部材内を流動，循環せしめられる。遊戯者は、このようにして管状部材内を流動，循環する流動部材を透明なシート部材を透して見ることができ、視覚的な面白さを実感することができる。
尚、内部に流動部材が収容された前記管状部材は、前記遊戯空間内の底部、遊戯空間内の上部、前記仕切部材の上方、又は前記仕切部材の外周部の内の１箇所以上に、これを設けることができる。また、この場合、前記加圧手段及び気流生成手段は、これらを各管状部材に対してそれぞれ別に設けても、１組の加圧手段及び気流生成手段を各管状部材に対して兼用してもいずれでもよい。管状部材を遊戯空間内の上部や仕切部材の外周部に設けると、管状部材内を流動，循環する流動部材によって、装飾的な効果を得ることができる。
また、前記管状部材を前記遊戯空間内の底部に配設するとともに、同じく可撓性を有するシート部材によって気密状に形成された袋状部材を前記管状部材の環内に配設し、且つ袋状部材の内部空間を前記管状部材の内部空間に連通せしめて、前記加圧手段により前記管状部材内及び前記袋状部材内の双方に気体が充填され、その内圧が上昇せしめられるように構成しても良い。
このようにすれば、加圧手段により管状部材内及び袋状部材内の双方に気体が充填され、これらが膨張して弾力を帯びた状態となり、遊戯者は、管状部材及び袋状部材双方の上に乗り飛び跳ねたりして、その弾力感を体感することができる。
また、前記気流生成手段は、管状部材内に気流を生じさせるものであれば、これがどのようなもので構成されていても良く、例えば、送風機やブロワなど挙げることができ、これを管状部材内に配設した構成とすることができる。
或いは、当該気流生成手段を管状部材の外部且つその近傍に配設した構成としても良い。この場合、前記気流生成手段は、気体を吸い込む吸込口と、吸い込んだ気体を加圧して吐出する吐出口とを備え、一方、管状部材は、気体流出口及び気体流入口を備え、該気体流出口に気流生成手段の吸込口が接続され、気体流入口に気流生成手段の吐出口が接続されて、管状部材内の気体が前記気体流出口から気流生成手段に流入して加圧され、加圧された気体が気体流入口から前記管状部材内に流入して、管状部材内の気体が前記一方向に流動せしめられるようにすることができる。
更に、上記の場合に、気体流出口及び気体流入口を相互に接近させて配設し、且つ気体流出口を管状部材内の気流上手側に、気体流入口を下手側に配設した構成としても良く、或いは、気体流出口及び気体流入口を上下に並設し、且つ気体流出口を上側に、気体流入口を下側に配設した構成としても良い。
また、上記の場合に、多数の貫通孔を備えた部材であって、該気体流出口から管状部材の内部空間側に膨出する形状を備えた吸着防止部材を、前記気体流出口に設けるのが好ましい。このようにすれば、気体流出口が内側に膨出した吸着防止部材によって覆われるので、管状部材内を流動，循環する流動部材が気体流出口に吸着され難くなり、流動部材の一部が気体流出口に吸着されることによって他の流動部材の流動が阻害されたり、或いは気体流入口から流入する気体流量が低下するといった不都合が生じるのを防止することができる。
ところで、前記管状部材内を流動，循環する流動部材は、相互に摩擦接触して静電気を帯びやすく、静電気を帯びると、流動部材同士がお互いに吸引し合って凝集し、その流動性が鈍くなったり、場合によっては、管状部材内で詰まってしまうといった不都合が引き起こされる。
この場合、前記管状部材内を加湿する加湿手段を設けると良い。このようにすれば、当該管状部材内が加湿されて、流動部材に生じた静電気が除去され、流動部材を長時間に渡って、勢い良く流動，循環させることができる。
尚、前記加湿手段は、これを、前記管状部材内に設けられた保水手段と、当該保水手段に水を供給する給水手段とから構成されたものとすることができる。このようにすれば、管状部材内を流動する流動部材が保水手段と接触することにより、或いは、保水手段から蒸発した水分と接触することによって、当該流動部材から静電気が除去される。
前記保水手段は、例えば、スポンジなどから構成され、前記給水手段は、例えば、水を貯留したタンクと、このタンクから保水手段に水を供給するポンプなどから構成される。
また、前記シート部材には、例えば、ナイロンやビニルなどの合成樹脂製のシートが用いられ、前記仕切部材には、例えば、天然繊維や合成繊維などから形成される網状体が用いられる。また、前記流動部材としては、風船などの気球体、発泡スチロールで形成されたものやピンポン玉などを例示することができ、その形状や色彩などについては、これを様々なものとすることができる。
発明を実施するための最良の形態
以下、本発明をより詳細に説明するために、添付図面に基づいてこれを説明する。
第１図乃至第４図に示すように、本例の遊戯装置１は、枠体１０と、この枠体１０に取り付けられて所定の遊戯空間Ｙを形成する仕切部材１４と、前記遊戯空間Ｙ内の底部に配設され、その内部に空気が充填される管状部材２０と、前記遊戯空間Ｙ内の底部中央部に、この管状部材２０によって囲まれるように配設され、その内部に空気が充填されるエアマット２５と、前記管状部材２０内に収容される複数の気球体３０と、管状部材２０及びエアマット２５内に空気を充填してその内圧を上昇させる加圧手段３１と、前記管状部材２０内の空気を一方向に流動させる気流生成手段３２と、前記管状部材２０内を加湿する加湿手段３３などを備えている。また、この遊戯装置１には、前記遊戯空間Ｙ内に遊戯者が出入りするための出入口１５及び階段１６が設けられている。
前記枠体１０は、柱部材１１，梁部材１２及び底辺部材１３、並びにこれらを着脱自在に連結するための継手部材（図示せず）から構成されている。柱部材１１，梁部材１２及び底辺部材１３はそれぞれ、鉄製やアルミ製などの薄肉パイプと、この薄肉パイプの外周面に巻き付けられたウレタンスポンジなどの衝撃吸収部材と、この衝撃吸収部材を被覆するビニルシートなどから構成される。
前記仕切部材１４は、例えば、天然繊維や合成繊維などから構成された網状体からなり、前記遊戯空間Ｙの４つの側面（前記出入口１５を除く）、及び遊戯空間Ｙの上面に相当する部分に、それぞれ配設されている。尚、この仕切部材１４は、ファスナやマジックテープ（登録商標）などの係着手段（図示せず）によって、その周囲が前記枠体１０に着脱自在に係着されている。
前記管状部材２０は、例えば、ナイロンやビニルなどの合成樹脂からなる透明なシート部材から管状、且つ環状（平面視矩形状）に形成されるとともに、これが気密状に形成されてなり、その外周部が、例えば、ファスナやマジックテープ（登録商標）などの係着手段（図示せず）によって、前記仕切部材１４又は前記底辺部材１３に着脱自在に係着されている。
前記エアマット２５は、３本のチューブ状の部材２６をその内部空間が相互に連通するように連接して構成される。各チューブ部材２６は、それぞれ、例えば、ナイロンやビニルなどの合成樹脂からなる透明なシート部材から気密状に形成され、それぞれ、その内部が前記管状部材２０の内部と連通するように、当該管状部材２０に連結されている。
前記加圧手段３１は、ブロワなどから構成され、前記管状部材２０の外周部に接続しており、当該管状部材２０内に空気を供給して、同管状部材２０内の気圧を所定圧力に昇圧させる。尚、上述したように、管状部材２０の内部はエアマット２５の内部と連通しており、加圧手段３１から供給された空気は、管状部材２０からエアマット２５内に流入し、これにより、エアマット２５内が管状部材２０とともに昇圧される。
また、前記加湿手段３３は、前記管状部材２０の外周部に接続した加湿器などから構成されており、前記管状部材２０内に水蒸気を供給して、当該管状部材２０内を加湿する。
前記気流生成手段３２は、ブロワなどから構成されており、第５図及び第６図に示すように、空気を吸い込む吸込口３２ａと、吸い込んだ空気を加圧して吐出する吐出口３２ｂとを備えている。そして、吸込口３２ａは管状部材２０に形成された気体流出口２０ａに接続される一方、吐出口３２ｂは同じく管状部材２０に形成された気体流入口２０ｂに接続されており、管状部材２０内の空気が前記気体流出口２０ａから気流生成手段３２に流入して加圧され、加圧された空気が気体流入口２０ｂから前記管状部材２０内に流入し、かかる作用によって、管状部材２０内の空気が、第２図における矢示方向に流動せしめられるようになっている。
また、前記吸込口３２ａ及び気体流出口２０ａと、吐出口３２ｂ及び気体流入口２０ｂとは、これらが上下方向に並設された状態となっており、吸込口３２ａ及び気体流出口２０ａが上側に、吐出口３２ｂ及び気体流入口２０ｂが下側に、それぞれ設けられている。
また、前記気体流出口２０ａ（吸込口３２ａ）には、多数の貫通孔を備えた部材であって、前記気体流出口２０ａから管状部材２０の内部空間側に膨出した形状（半球形状）を備えた吸着防止部材３４が設けられている。
また、前記吸込口３２ａ及び気体流出口２０ａと、吐出口３２ｂ及び気体流入口２０ｂとは、平面視矩形状をした管状部材２０の角部に設けられており、吐出口３２ｂ（気体流入口２０ｂ）から管状部材２０内に流入する空気流の方向が、管状部材２０の一辺に沿うようになっている。
前記階段１６はその内部に空間を備えており、当該内部空間内に前記加圧手段３１，気流生成手段３２及び加湿手段３３が収納されている。また、この階段１６は、ウレタンスポンジなどの衝撃吸収部材によって覆われ、更に、衝撃吸収部材がビニルシートなどによって被覆されている。この衝撃吸収部材は、遊戯者が転ぶなどした場合に、その衝撃を吸収して打撲から遊戯者を護る役割を果たすとともに、前記加圧手段３１，気流生成手段３２及び加湿手段３３の作動音が外部に漏れないように、これを消音する役割をなす。
以上のように構成された本例の遊戯装置１によれば、まず、前記加圧手段３１により前記管状部材２０内に空気が供給される。これにより、管状部材２０及びエアマット２５内に空気が充填され、その内圧が所定圧に昇圧せしめられて、当該管状部材２０及びエアマット２５が膨張し、弾力を帯びた状態となる。斯くして、このような状態となった管状部材２０及びエアマット２５上に、遊戯者たる幼児などが乗り、その上で飛び跳ねたりすることで、その弾力感を体感して楽しむことが可能となる。
尚、管状部材２０及びエアマット２５内が所定の圧力となった後は、この圧力を維持するように、加圧手段３１による空気の供給を継続しても、或いは、当該供給部を密閉するようにしても、いずれでも良い。
この後、前記気流生成手段３２が駆動され、管状部材２０内の空気が気体流出口２０ａ（吸込口３２ａ）から気流生成手段３２に流入して加圧され、加圧された空気が気体流入口２０ｂ（吐出口３２ｂ）から管状部材２０内に吐出される。かかる作用によって、管状部材２０内の空気が、第２図における矢示方向に流動，循環せしめられる気流を生じる。斯くして、管状部材２０内に収納された複数の気球体３０が、生成された気流によって管状部材２０内を流動，循環せしめられ、かかる気球体３０を外部から観察することによって、遊戯者は視覚的な面白さを実感することができる。
ところで、前記気体流入口２０ｂ（吐出口３２ｂ）と気体流出口２０ａ（吸込口３２ａ）とが離れた位置に設けられていると、気体流入口２０ｂ（吐出口３２ｂ）と気体流出口２０ａ（吸込口３２ａ）との間で管状部材２０内の気流が弱まり、気球体３０の流動性が阻害されたり、或いはこれを勢い良く流動させることができなくなり、上述した視覚的な面白さが減少することになる。
本例では、前記気体流入口２０ｂ（吐出口３２ｂ）と気体流出口２０ａ（吸込口３２ａ）とを接近させ、しかもこれらを上下に並設しているので、気体流入口２０ｂ（吐出口３２ｂ）と気体流出口２０ａ（吸込口３２ａ）との間で管状部材２０内の気流が弱まるといったことがなく、気球体３０を勢い良く流動させることができる。また、気球体３０は、その自重によって管状部材２０内の底部に位置しがちであるが、気体流入口２０ｂ（吐出口３２ｂ）を下方に設けているので、気体流入口２０ｂ（吐出口３２ｂ）から吐出される空気流を、底部に位置しがちな気球体３０に直接当てることができ、この面でも気球体３０を勢い良く流動させることができる。
また、気体流出口２０ａ（吸込口３２ａ）に何も設けない場合には、当該気体流出口２０ａ（吸込口３２ａ）に気球体３０が吸着されてこれを閉塞し、管状部材２０内の気流が消滅するといった事態が起こり得るが、本例では、気体流出口２０ａ（吸込口３２ａ）に上記形状の吸着防止部材３４を設けているので、気球体３０が気体流出口２０ａ（吸込口３２ａ）を閉塞するといった事態が起こり得ず、気球体３０を良好に流動させることができる。
また、前記管状部材２０内を流動，循環する気球体３０は、相互に摩擦接触して静電気を帯びやすく、静電気を帯びると、前記気球体３０同士がお互いに吸引し合って凝集し、その流動性が鈍くなったり、場合によっては、管状部材内で詰まってしまうといった不都合が引き起こされる。
本例では、前記管状部材２０内を加湿する加湿手段３３を設けているので、この加湿手段３３によって管状部材２０内が加湿され、これにより、気球体３０に生じた静電気が除去され、当該気球体３０を長時間に渡って、勢い良く流動，循環させることができる。
また、前記柱部材１１や梁部材１２には、衝撃吸収部材が巻き付けられているので、遊戯空間Ｙ内で遊戯を楽しんでいる遊戯者が、誤って柱部材１１や梁部材１２に衝突しても、その衝撃が前記衝撃吸収部材により吸収され、遊戯者がけがをするのを効果的に防止することができる。
以上、本発明の一実施形態について説明したが、本発明の採り得る具体的な態様は、何らこれに限定されるものではない。
例えば、第７図に示すように、前記管状部材２０は、前記遊戯空間Ｙ内の底部のみでなく、これを遊戯空間Ｙの上方に設けた構成としても良い。このようにすれば、遊戯空間Ｙの上方に設けた管状部材２０内を流動，循環する気球体３０を、前記遊戯空間Ｙ内及びその外部から観察することができ、その装飾効果を高めることができる。尚、この場合、前記加圧手段３１及び気流生成手段３２は、これらを各管状部材２０に対してそれぞれ別に設けても、１組の加圧手段３１及び気流生成手段３２を各管状部材２０に対して兼用してもいずれでもよい。
更に、上述のような装飾効果を目的とした管状部材２０の設置位置については、遊戯空間Ｙの上方に限らず、遊戯空間Ｙの外周や遊戯空間Ｙ内の上部でも良い。
また、前記管状部材２０の形状は、前記気球体３０が管状部材２０内を流動，循環することができる形状であれば、特に限定されるものではない。また、前記気体流入口２０ｂ（吐出口３２ｂ）と気体流出口２０ａ（吸込口３２ａ）とを上下に並設したが、これに限られるものではなく、第８図に示すように、気体流出口２０ａ（吸込口３２ａ）を管状部材２０内の気流上手側に、気体流入口２０ｂ（吐出口３２ｂ）を下手側に配設した構成としても良い。但し、上述した理由からこれらを接近させて設けるのが好ましい。
また、前記気流生成手段３２を、前記管状部材２０の外部に設けるようにしたが、これに限られるものではなく、第９図に示すように、気流生成手段３２’を管状部材２０の内部に設けても良い。尚、図中の符号３２ａ’は吸込口、３２ｂ’は吐出口である。
また、前記加湿手段３３は、同第９図に示すように、管状部材２０内に設けられた保水手段３３ａと、この保水手段３３ａに水を供給する給水手段とから構成されていても良い。このようにすれば、管状部材２０内を流動する気球体３０が保水手段３３ａと接触することにより、或いは、保水手段３３ａから蒸発した水分と接触することによって、当該気球体３０から静電気が除去される。
尚、前記保水手段３３ａとしては、スポンジなど例示することができ、前記給水手段としては、水を貯留したタンク３３ｂと、このタンク３３ｂから保水手段３３ａに水を供給するポンプなどからなる構成を例示することができる。更に、この場合に、タンク３３ｂを前記梁部材１２上など高所に設け、このタンク３３ｂから給水管３３ｃを介して保水手段３３ａに水を供給するようにすれば、水圧によって保水手段３３ａに給水されるため、前記ポンプは、特にこれを設ける必要は無い。
また、上述した例では、前記遊戯空間Ｙ内の底部中央部に、前記管状部材２０によって囲まれるように前記エアマット２５を配設したが、これに限られるものではなく、第１０図に示すように、前記底部中央部には、シート部材によって気密な袋状に形成され、その内部に液体が充填されたマット５０などを配設しても良い。このようにすれば、前記エアマット２５とは、異なる感覚や遊戯を楽しむことができる。
更に、前記マット５０に代えて、多数のボールを収納し、管状部材２０によって囲まれる領域をボールプールとしたり、或いは、前記管状部材２０と同じ構成でこれより小寸法のものを同心円状に配設しても良い。このように、管状部材２０によって囲まれるように領域に、様々な部材や装置を配設することで、各種の遊戯を楽しむことができる。
また、前記気球体３０についても、様々な形状や模様，色彩を有するものを用いることができ、更に、気球体３０に限らず、発泡スチロールによって形成されたものやピンポン玉など気流によって流動するものであれば、これに代えてどのようなものでも用いることができる。
産業上の利用可能性
以上のように、本発明にかかる遊戯装置は、遊園地，デパート及びスーパーマーケットなどに設置し得る、主として幼児に向けた遊戯装置として好適である。
【図面の簡単な説明】
第１図は、この発明にかかる好ましい遊戯装置の概略構成を示した斜視図であり、第２図は、この遊戯装置を示した平断面図であって、第３図における矢視Ｂ−Ｂ方向の平断面図であり、第３図は、第２図における矢視Ａ−Ａ方向の正断面図である。また、第４図は、第３図における矢視Ｃ−Ｃ方向の側断面図であり、第５図は、第２図における矢視Ｄ−Ｄ方向の断面図であり、第６図は、第５図における矢視Ｅ−Ｅ方向の断面図である。また、第７図は、本発明にかかる他の好ましい遊戯装置の概略構成を示した断面図であり、第８図は、同じく本発明にかかる他の好ましい遊戯装置を部分的に示した平断面図であり、第９図は、同じく本発明にかかる他の好ましい遊戯装置の概略構成を示した正断面図であり、第１０図は、本発明にかかる更に他の好まし遊戯装置の概略構成を示した断面図である。
【図１】
2003070345.tif 000003
【図２】
2003070345.tif 000004
【図３】
2003070345.tif 000005
【図４】
2003070345.tif 000006
【図５】
2003070345.tif 000007
【図６】
2003070345.tif 000008
【図７】
2003070345.tif 000009
【図８】
2003070345.tif 000010
【図９】
2003070345.tif 000011
【図１０】
2003070345.tif 000012
【国際調査報告】
2003070345.tif 000013
2003070345.tif 000014
2003070345.tif 000015
2003070345.tif 000016